(57)【特許請求の範囲】
【請求項１】
給油口に取り付けられ複数の永久磁石が油種情報を特定する位置に配列された油種キーと、油吐出口と前記給油口との間を接続するホースの先端部分に設けられ前記永久磁石に対応して磁電変換素子が配列される油種読取装置とを具備し、前記油種キーを前記油種読取装置に挿入して前記永久磁石を前記磁電変換素子に対面させたときの該磁電変換素子に発生した起電力によって油種情報を特定する油種情報取得装置であって、
前記油種読取装置には、前記油種キーの挿入に伴ってスライドされ前記永久磁石と前記磁電変換素子との間の磁力線を遮断する磁束遮断シャッターが設けられ、
該磁束遮断シャッターには、前記油種キーの所定の挿入位置で前記磁電変換素子を表出させる複数の開口部が形成されていることを特徴とする油種情報取得装置。
【請求項２】
前記油種キーの挿入方向最先端の永久磁石に対応する少なくとも一つの前記磁電変換素子に生じた起電力を読取開始信号にして全ての前記磁電変換素子の読み取りが開始されることを特徴とする請求項１記載の油種情報取得装置。
【発明の詳細な説明】
【０００１】
【発明の属する技術分野】
本発明は、油槽所でタンクローリー車のハッチ部に各種石油製品を供給して荷受けし、荷受けされた石油製品を給油所まで搬送してハッチ部内に収容された石油製品を荷卸しするタンクローリー車の荷受け・荷卸しシステムに採用される油種情報取得装置に関し、複数の永久磁石が油種情報を特定する位置に配列された油種キーと、この油種キーの永久磁石に対応して磁電変換素子が配列される油種読取装置とを備える油種情報取得装置に関する。
【０００２】
【従来の技術】
一般に、給油所の地下タンクへガソリンなどの石油製品を搬入させるには、油槽所で油種毎にタンクローリー車の各ハッチ部に所定量の石油製品を給油して荷受けを行い、タンクローリー車を荷卸し先の給油所まで運転して輸送し、各ハッチ部内の石油製品を給油所の地下タンクへ油種毎に荷卸ししている。この荷卸しの際には、タンクローリー車のタンク部の油吐出口と給油所の地下タンクの給油口との間に荷卸し用のホースを接続し、ハッチ部単位で石油製品を給油口を介して給油所の地下タンクに給油している。
【０００３】
この際、異なる石油製品が給油所の地下タンクに混入して荷卸しされないように、各地下タンク毎の製油製品の油種情報を得るため、地下タンクの給油口には鎖によって取り付けられる４ビット油種キーが設けられている。
【０００４】
図６に示すように、４ビット油種キー１は、キー本体３が例えば合成樹脂からなる略矩形板で形成される。キー本体３は、一端が把持部５を形成し、他端が挿入部７を形成している。把持部５には、握り易さを高めるための周溝５ａが形成される。また、挿入部７の表面（図６における上面）には、凹状の磁石取付け平面９が形成される。この磁石取付け平面９には、４つの凹部１１が所定の位置に配列して形成されている。
【０００５】
図６の例における凹部１１は、キー本体３の中心軸Ｌ１−Ｌ１上に沿って形成される２つの凹部１１ａ，１１ｂと、この２つの凹部１１ａ，１１ｂを中心として左右の対称位置に１つずつ形成された凹部１１ｃ，１１ｄからなる。この凹部１１の所定のものには接着剤によって永久磁石１３が嵌着され、永久磁石１３は同一の磁極（例えばＳ極）が表面側となるように取り付けられる。これら永久磁石１３は、嵌入ピン１５を嵌入穴１７に嵌着して磁石取付け平面９に取り付けられる蓋体１９によって覆われる。
【０００６】
ところで、異種の石油製品の混入の防止だけでなく、地下タンクのオーバーフローも防止するためには、上述した油種情報の他にタンクナンバー情報を得る必要があるため、さらに情報量の多い９ビット油種キーが使用されることになる。この９ビット油種キー２１は、４ビット油種キーと併用できるように外形が４ビット油種キー１と同一形状をなし、磁石取付け平面９の４ビット油種キー１と同一位置に凹部１１ａ，１１ｂ，１１ｃ，１１ｄが形成され、さらに５つ多く凹部１１ｅ，１１ｆ，１１ｇ，１１ｈ，１１ｉが形成されている。
【０００７】
図７の例における凹部１１は、キー本体３の中心軸Ｌ１−Ｌ１に沿って形成される３つの凹部１１ａ，１１ｂ，１１ｅと、これら３つの凹部１１ａ，１１ｂ，１１ｅを中心として左右の対称位置に３つずつ形成された凹部１１ｃ，１１ｄ，１１ｆ，１１ｇ，１１ｈ，１１ｉからなる。そして、これら９つの凹部１１に所定のものに永久磁石１３が嵌着されている。なお、９ビット油種キー２１は、上述した構成以外が４ビット油種キー１と同一なので、同一の構成要素には同一番号を付してある。
【０００８】
４ビット油種キー１は、４つの凹部１１ａ，１１ｂ，１１ｃ，１１ｄのうち、所定のものに永久磁石１３が配置され、油種情報Ｘ（油種）を表すようになっている。例えば図８に示すように、４つの凹部１１ａ，１１ｂ，１１ｃ，１１ｄの位置をＡ、Ｂ、Ｃ、Ｄとした場合、Ａ、Ｂ、Ｃ、Ｄの任意の位置に配置した永久磁石１３の組合せによって下記表１に示すようにして油種情報が特定される。つまり、ＡとＤに永久磁石１３が配置されていれば、軽油が特定されることになる。
【０００９】
【表１】
0004138233.tif 000002
【００１０】
９ビット油種キー２１は、図９に示すように、上記４つの凹部１１ａ，１１ｂ，１１ｃ，１１ｄの位置Ａ、Ｂ、Ｃ、Ｄに加え、さらにその他の５つの凹部１１ｅ，１１ｆ，１１ｇ，１１ｈ，１１ｉに配置される永久磁石１３によって、油種情報を表すようになっている。例えば５つの凹部１１ｅ，１１ｆ，１１ｇ，１１ｈ，１１ｉの位置を１、２、３、５、１０とした場合、１、２、３、５、１０の任意の位置に配置した永久磁石１３の組合せによって下記表２に示すようにして油種情報ＹＹ（タンクＮｏ．）が特定される。つまり、１と５に永久磁石１３が配置されていれば、タンクＮｏ．６が特定されることになる。
【００１１】
【表２】
0004138233.tif 000003
【００１２】
これら２種類の油種キー１、２１の油種情報は、荷卸しホースに設置される油種読取装置の磁電変換素子によって「１」又は「０」の２値信号として読み取られ、この信号はタンクローリー車の車体に装備されたコントローラーに入力される。つまり、油種読取装置には、これら２種類の油種キー１、２１が併用して挿入される。
【００１３】
なお、地下タンクに収容される石油製品の容量は、各地下タンク毎に設置される油面計から得られ、その情報が例えば無線を介してタンクローリー車のコントローラーに入力される。
【００１４】
コントローラーは、油種キー１、２１から読み取った油種情報が荷卸し対象のハッチ内部の製油製品と一致し、且つ荷卸しする石油製品の容量がオーバーフローしない容量と判別したときに、油吐出口を開制御するようになっている。
【００１５】
【発明が解決しようとする課題】
しかしながら、上記した油種キーと油種読取装置とを用いた従来の油種情報取得装置は、油種キーの永久磁石が、油種キー挿入方向に沿って直線上に複数配置されるため、４ビット油種キー１と９ビット油種キー２１とが併用された場合、９ビット油種キー２１の油種情報を読み取る際に以下の問題の生じる場合があった。
【００１６】
即ち、図１０（ａ）に示すように、油種キー２１が油種読取装置２３の所定の挿入位置まで挿入されれば、正規の磁電変換素子と永久磁石１３とが一致して正しい油種情報の読み取りが行われるが、図１０（ｂ）に示すように、油種読取装置２３の挿入部に異物２５が挟まったり、或いは図１０（ｃ）に示すように、油種キー２１の取付鎖６３が短く、油種キー２１が所定位置まで挿入されないと、磁電変換素子の幾つかに挿入途中の油種キーの永久磁石が対面され、磁電変換素子に起電力が発生して誤読を発生する虞れがあった。
【００１７】
例えば、図１０（ｂ）に示す場合では、油種キー２１がタンクＮｏ．４の油種レギュラーを表すのに対し、油種を軽油と誤読し、図１０（ｃ）に示す場合では、油種キー２１がタンクＮｏ．５の油種レギュラーを表すのに対し、油種を軽油と誤読する虞れがあった。
【００１８】
本発明は上記状況に鑑みてなされたもので、油種情報の誤読を防止することができる油種情報取得装置を提供することを目的とする。
【００１９】
【課題を解決するための手段】
上記目的を達成するための本発明に係る請求項１記載の油種情報取得装置は、給油口に取り付けられ複数の永久磁石が油種情報を特定する位置に配列された油種キーと、油吐出口と前記給油口との間を接続するホースの先端部分に設けられ前記永久磁石に対応して磁電変換素子が配列される油種読取装置とを具備し、前記油種キーを前記油種読取装置に挿入して前記永久磁石を前記磁電変換素子に対面させたときの該磁電変換素子に発生した起電力によって油種情報を特定する油種情報取得装置であって、
前記油種読取装置には、前記油種キーの挿入に伴ってスライドされ前記永久磁石と前記磁電変換素子との間の磁力線を遮断する磁束遮断シャッターが設けられ、
該磁束遮断シャッターには、前記油種キーの所定の挿入位置で前記磁電変換素子を表出させる複数の開口部が形成されていることを特徴とする。
【００２０】
この油種情報取得装置では、油種読取装置の挿入部に異物が挟まったり、或いは油種キーの取付鎖が短く、油種キーが所定位置まで挿入されないと、磁束遮断シャッターも同様に所定の挿入位置まで移動されず、その結果、磁電変換素子が磁束遮断シャッターの開口部より表出されない。これにより、仮に磁電変換素子の幾つかに挿入途中における油種キーの永久磁石が対面された場合であっても、磁電変換素子が磁束遮断シャッターに覆われたままであるので、磁電変換素子に起電力が発生することがない。従って、挿入途中における油種キーの永久磁石が作用することによる誤読が防止され、正規の油種情報のみが読み取られることになる。
【００２１】
請求項２記載の油種情報取得装置は、前記油種キーの挿入方向最先端の永久磁石に対応する少なくとも一つの前記磁電変換素子に生じた起電力を読取開始信号にして全ての前記磁電変換素子の読み取りが開始されることを特徴とする。
【００２２】
この油種情報取得装置では、油種キーの挿入方向最先端の永久磁石に対応する磁電変換素子に起電力が生じたことを条件に、全ての磁電変換素子の読み取りが開始される。即ち、油種キーの挿入方向最先端の永久磁石が、最深部の磁電変換素子に到達しなければ、磁電変換素子の読み取りが開始されない。磁束遮断シャッターのみを設けた場合には、極めて稀なケースであるが、油種キー先端と磁束遮断シャッターとの間に異物が挟まり、その異物によって形成された間隙寸法が、永久磁石の挿入方向の配列ピッチと一致したときには、開口部によって表出した磁電変換素子に、正規以外の永久磁石が一致してしまうことが想定される。挿入方向最先端の永久磁石に対応する磁電変換素子に起電力が生じたことを条件とすれば、このような極めて稀な状況下における誤読も確実に防止可能になる。
【００２３】
【発明の実施の形態】
以下、本発明に係る油種情報取得装置の好適な実施の形態を図面を参照して詳細に説明する。
【００２４】
図１は本発明に係る油種情報取得装置の断面図、図２は磁電変換素子の配設面を実線で表した図１の平面図、図３は給油所における荷卸し作業状況を表す説明図、図４は油種キーが未挿入状態の油種情報取得装置を表す断面図、図５は磁電変換素子の配設面を実線で表した図４の平面図である。
【００２５】
油種情報取得装置３１は、油種キー３３と、油種読取装置３５とを主要な構成として有している。油種キー３３は、従来と同様に、図３に示す給油所３７のそれぞれの給油口３９に取り付けられる。また、油種読取装置３５は、タンクローリー車４０の油吐出口４１と給油口３９との間を接続する荷卸し用のホース４３の先端部分４３ａに設けられる。
【００２６】
油種キー３３としては、複数種類の油種情報として例えば油種とタンクＮｏ．の２種類の情報が付与された図７に示す９ビット油種キーが使用される。油種キー３３は、キー本体３が例えば合成樹脂からなる略矩形板に形成される。キー本体３は、一端が把持部５を形成し、他端が挿入部７を形成している。把持部５には、握り易さを高めるための周溝５ａが形成される。
【００２７】
また、把持部５の内方には空洞部６が形成され、空洞部６は把持部５の裏面（図１における下方）で開口している。この空洞部６は、把持部５の体積を減らして油種キー３３を軽量化するとともに、操作時の表裏認識を容易にし、さらには、油種キー３３の抜き差し時のすべり止めとしても働くようになっている。
【００２８】
挿入部７の表面（図１の上面）には、この表面の大部分の面積を凹ませて形成した蓋嵌部８が形成されている。この蓋嵌部８の底面は、平坦な磁石取付け面９となっている。
【００２９】
磁石取付け面９には、所定の位置に配列された略矩形に形成される複数の凹部１１（図７の９つの凹部１１ａ〜１１ｉに相当）が設けられている。これら所定の凹部１１には接着剤によって略方形状の永久磁石１３が嵌着される。
【００３０】
なお、挿入部７の裏面における先端近傍には、図１に示す突起７ａが設けられている。
【００３１】
一方、油種読取装置３５には、油種キー３３の挿入部７を挿入可能にしたキー挿入部４５が形成される。このキー挿入部４５には、突起７ａを進入可能にしたガイド溝４７が形成されている。
【００３２】
挿入部７は、突起７ａをガイド溝４７に進入させることにより、キー挿入部４５への挿入が可能となる。つまり、突起７ａ及びガイド溝４７は、油種キー３３が所定の向きで挿入されるように、油種キー３３の表裏の挿入向きを規制している。
【００３３】
油種読取装置３５には、複数の磁電変換素子としてのホール素子５１が平面上に配列されている。上記した油種キー３３の各永久磁石１３は、これらホール素子５１の任意のものに対応するように配置されている。
【００３４】
油種読取装置３５に配設されたホール素子５１は、バイアス電流が流され、これに直交する方向に磁力が印加されることで、バイアス電流と磁力の双方に直角に起電力を発生させる。この実施の形態では、油種キー３３の永久磁石１３によって、ホール素子５１に磁力が印加されるようになっている。
【００３５】
即ち、油種読取装置３５は、永久磁石１３に対向するホール素子５１のみに起電力が発生して、これらを「１」または「０」の二値信号として読み取る。これにより、油種読取装置３５は、特定の油種キー３３における永久磁石１３の固有の配列を識別するようになっている。
【００３６】
油種読取装置３５のキー挿入部４５には、先端が油種キー３３の先端に当接するように折曲部５３ａの形成されたＬ形の磁束遮断シャッター５３が油種キー３３の挿入方向にスライド自在に設けられている。磁束遮断シャッター５３は、折曲部５３ａとキー挿入部４５との間に配設された付勢手段であるコイルスプリング５５によって、図１の右方（油種キー３３を押し戻す方向）へ付勢されている。
【００３７】
従って、磁束遮断シャッター５３は、油種キー３３がキー挿入部４５に挿入されることによって、折曲部５３ａが油種キー３３の先端部分に当接され、油種キー３３の挿入に伴って図１の左方へスライドされるようになっている。
【００３８】
この磁束遮断シャッター５３は、磁束へ遮断する磁性体からなり、永久磁石１３とホール素子５１との間に介在されることにより、永久磁石１３からの磁力線を遮断するように働く。そして、この磁束遮断シャッター５３には、油種キー３３の所定の挿入位置で、ホール素子５１を表出させる複数の貫通した開口部５７が全てのホール素子５１に対応するようにして形成されている。従って、油種キー３３が挿入されない状態、或いは未挿入の状態では、ホール素子５１に対する永久磁石１３の磁力線が遮断される。つまり、磁束遮断シャッター５３は、油種キー３３が正規の位置に挿入されるまでの間、永久磁石１３の磁力線を遮断するようになっている。
【００３９】
ところで、本実施の形態において、例えば図７に示す９ビット油種キー２１を油種キー３３として使用する場合、油種キー３３の挿入方向最先端の永久磁石１３を必ず含む情報を読み取ることになる。そこで、本例の油種読取装置３５には読み取り時期制御機能を有している。この読み取り時期制御機能は、油種読取装置３５に内蔵される図示しない制御手段（ＣＰＵ）によって処理される。即ち、この制御手段は、全てのホール素子５１が磁束遮断シャッター５３の開口部５７より表出し、油種キー３３の永久磁石１３に対面したときに、油種キー３３の挿入方向最先端の永久磁石１３に対応する少なくとも一つのホール素子５１（最深部のホール素子５１の少なくとも一つ）に生じた起電力を読取開始信号（トリガー信号）にして、全てのホール素子５１の読み取りを開始する制御を行う。従って、この最深部のホール素子５１に起電力が生じなければ、全てのホール素子５１は読み取りの開始されることがない。
【００４０】
次に、油製品荷卸し作業における油種情報取得装置３１の作用を説明する。
作業者は、給油所３７に到着すると、タンクローリー車４０の油吐出口４１と地下タンクの給油口３９との間にホース４３を接続する。そして、ホース４３の先端部分４３ａに設けられる油種読取装置３５にその地下タンクに設けられる油種キー３３を挿入する。油種キー３３が挿入されると、この油種キー３３の挿入に伴って磁束遮断シャッター５３がスライドされ、図１および図２に示すように、油種キー３３が所定の挿入位置に達すると、磁束遮断シャッター５３の開口部５７がホール素子５１に一致し、全てのホール素子５１が開口部５７より表出する。
【００４１】
そして、最深部のホール素子５１に起電力が生じると、油種読取装置３５の制御手段から読取開始信号が送出され、全てのホール素子５１の読み取りが開始される。これにより、油種読取装置３５からは油種キー３３から読み取った石油製品の種類、タンクＮｏ．等を示す油種情報がタンクローリー車４０に装備されたコントローラー５９に入力される。
【００４２】
コントローラー５９は、油種読取装置３５から入力される石油製品の種類を示す油種情報と、予め得ている荷卸し情報（ハッチ部７９毎の油種データ）との比較によって現在荷卸ししようとしている石油製品の油種を照合する。
【００４３】
そして、両者の油種が一致したときは、該当するハッチ部６１のハッチ底弁を開き、油吐出口４１のハンドルロックを解除して石油製品の荷卸しが開始される。これに対し、両者の油種が不一致の場合には、各ハッチ部６１のハッチ底弁が閉じたままで油吐出口４１のハンドルもロックされたままとなり、石油製品の荷卸しが禁止される。
【００４４】
一方、油種読取装置３５のキー挿入部４５に異物が挟まったり、或いは油種キー３３の取付鎖６３が短く、図４および図５に示すように、油種キー３３が所定位置まで挿入されないと、磁束遮断シャッター５３も同様に所定の挿入位置まで挿入されず、その結果、ホール素子５１が開口部５７より表出されない。これにより、仮にホール素子５１の幾つかに挿入途中の油種キー３３の永久磁石１３が対面された場合であっても、ホール素子５１が磁束遮断シャッター５３に覆われたままであるので、ホール素子５１に起電力が発生することがない。従って、挿入途中における油種キー３３の永久磁石１３が作用することによる誤読が防止され、正規の油種情報のみが読み取られることになる。
【００４５】
また、油種キー３３の挿入方向最先端の永久磁石１３に対応するホール素子５１に起電力が生じたことを条件に、全てのホール素子５１の読み取りが開始されるので、油種キー３３の挿入方向最先端の永久磁石１３が、最深部のホール素子５１に到達しなければ、ホール素子５１の読み取りが開始されない。磁束遮断シャッター５３のみを設けた場合には、極めて稀なケースであるが、油種キー先端と磁束遮断シャッター５３との間に異物が挟まり、その異物によって形成された間隙寸法が、永久磁石１３の挿入方向の配列ピッチと一致したときには、開口部５７によって表出したホール素子５１に、正規以外の永久磁石１３が一致してしまうことが想定される。挿入方向最先端の永久磁石１３に対応するホール素子５１に起電力が生じたことを条件とすれば、このような極めて稀な状況下における誤読も確実に防止されることになる。
【００４６】
なお、上記実施の形態では、給油所３７において、タンクローリー車４０に収容された石油製品を荷卸しする際に油種情報取得装置３１が用いられる場合を例に説明したが、本発明に係る油種情報取得装置は、油槽所において、タンクローリー車４０のタンク部の所定のハッチ部６１に石油製品を油種毎に荷受けする場合にも同様に用いることができる。この場合、油槽所の図示しないローディングアームに油種キー３３が設けられ、タンクローリー車４０に油種読取装置３５が装備されることになる。
【００４７】
【発明の効果】
以上詳細に説明したように、本発明に係る油種情報取得装置によれば、油種読取装置に、油種キー挿入に伴ってスライドされ永久磁石と磁電変換素子との間の磁力線を遮断する磁束遮断シャッターを設け、この磁束遮断シャッターに、油種キーの所定の挿入位置で磁電変換素子を表出させる複数の開口部を形成したので、油種読取装置の挿入部に異物が挟まったり、或いは油種キーの取付鎖が短く、油種キーが所定位置まで挿入されないと、磁電変換素子が表出されず、仮に磁電変換素子の幾つかに挿入途中の油種キーの永久磁石が対面された場合であっても、磁電変換素子に起電力が発生することがない。この結果、挿入途中における油種キーの永久磁石が作用することによる誤読を防止し、正規の油種情報のみが読み取れるようになり、取得油種情報の信頼性を向上させることができる。
【図面の簡単な説明】
【図１】本発明に係る油種情報取得装置の断面図である。
【図２】磁電変換素子の配設面を実線で表した図１の平面図である。
【図３】給油所における荷卸し作業状況を表す説明図である。
【図４】油種キーが未挿入状態の油種情報取得装置を表す断面図である。
【図５】磁電変換素子の配設面を実線で表した図４の平面図である。
【図６】４ビット油種キーの分解斜視図である。
【図７】９ビット油種キーの分解斜視図である。
【図８】４ビット油種キーにおける永久磁石の配列位置を表す平面図である。
【図９】９ビット油種キーにおける永久磁石の配列位置を表す平面図である。
【図１０】油種キーの正常挿入状態を（ａ）、未挿入状態を（ｂ）（ｃ）で示した油種キー挿入状態の説明図である。
【符号の説明】
１３  永久磁石
３１  油種情報取得装置
３３  油種キー
３５  油種読取装置
３９  給油口
４１  油吐出口
４３  ホース
４３ａ  先端部分
５１  ホール素子（磁電変換素子）
５３  磁束遮断シャッター
５７  開口部
【図１】
0004138233.tif 000004
【図２】
0004138233.tif 000005
【図３】
0004138233.tif 000006
【図４】
0004138233.tif 000007
【図５】
0004138233.tif 000008
【図６】
0004138233.tif 000009
【図７】
0004138233.tif 000010
【図８】
0004138233.tif 000011
【図９】
0004138233.tif 000012
【図１０】
0004138233.tif 000013